(57)【要約】【目的】周囲温度が変化しても最適なオーバードライブを実行することができ液晶パネル駆動装置を提供する。【構成】フレームメモリ１とルックアップテーブル２とを用いてオーバードライブを行う液晶パネル駆動装置において、前記ルックアップテーブル２を温度に対応して複数種類設け、周囲の温度を示す情報に基づいて、前記ルックアップテーブルを選択的に切り替えて用いることを特徴とする。前記温度情報に基づいてルックアップテーブルを切り替える際、ヒステリシス特性を持たせるように構成されたことを特徴とする。【選択図】　　　　図３
2004133159.tif 000002
【特許請求の範囲】
【請求項１】
フレームメモリとルックアップテーブルとを用いてオーバードライブを行う液晶パネル駆動装置において、前記ルックアップテーブルを温度に対応して複数種類設け、周囲の温度を示す情報に基づいて、前記ルックアップテーブルを選択的に切り替えて用いることを特徴とする液晶パネル駆動装置。
【請求項２】
前記温度情報に基づいてルックアップテーブルを切り替える際、ヒステリシス特性を持たせるように構成されたことを特徴とする請求項１記載の液晶パネル駆動装置。
【請求項３】
第１の温度に対応した第１のルックアップテーブルと前記第１の温度の上または下の第２の温度に対応した第２のルックアップテーブルとを用いて、前記第１の温度と第２の温度の間の温度に対応した補間用のオーバードライブ量を演算で求めることを特徴とする請求項１記載の液晶パネル駆動装置。
【請求項４】
前記複数のルックアップテーブルを記憶した第１の記憶装置と、前記第１の記憶装置から読み出したルックアップテーブルを記憶する前記第１の記憶装置よりも記憶容量が小さい第２の記憶装置を備え、周囲の温度を示す情報に基づいて、前記第１の記憶装置から周囲温度に応じた所定数のルックアップテーブルを前記第２の記憶装置に読み出すことを特徴とする請求項１記載の液晶パネル駆動装置。
【請求項５】
前記第１の記憶装置から前記第２の記憶装置にルックアップテーブルを読み出す際に、温度情報に応じた補正処理を施すことを特徴とする請求項４記載の液晶パネル駆動装置。
【発明の詳細な説明】
【０００１】
【産業上の利用分野】
この発明は、液晶パネルをオーバードライブにより高速駆動する液晶パネルの駆動方法あるいは駆動装置に関する。
【０００２】
【従来の技術】
液晶パネルの高速化のために、図１に示すように、通常電圧より高い電圧を印加するオーバードライブ駆動を行うことにより、動画表示を良好にする手法が提案されている（例えば、特許文献１参照）。このような手法の中でも、図２に示すように、フレームメモリ１０１とルックアップテーブル１０２とを有し、このルックアップテーブル１０２のオーバードライブデータが前フレームデータ（開始データ）と入力データ（目標データ）の関係を元にして設定されている構成においては、オーバードライブを比較的正確にかけることができる。
【０００３】
【特許文献１】
特開２００１−２６５２９８号公報
【０００４】
【発明が解決しようとする課題】
しかしながら、液晶の応答特性は温度に大きく依存しており、１つのルックアップテーブルを用意したとしても、周囲温度の変化によって最適なオーバードライブ量が変化してしまうという問題があった。
【０００５】
温度に応じて設定した複数のルックアップテーブルを用意する場合、高速動作が可能な記憶装置にルックアップテーブルを記憶しておくことが高速応答用の観点で望ましいが、高速動作可能な記憶装置は高価であり、そのような記憶装置を多数揃えるとなると、高コストとなるという問題点もある。
【０００６】
この発明は、上記の事情に鑑み、周囲温度が変化しても最適なオーバードライブを実行することができる駆動方法、あるいは駆動装置を提供することを目的とする。また、高価な記憶装置の使用数量を削減することができる駆動方法、あるいは駆動装置を提供することを目的とする。
【０００７】
【課題を解決するための手段】
この発明にかかる液晶パネル駆動装置は、上記の課題を解決するために、請求項１に記載のように、フレームメモリとルックアップテーブルとを用いてオーバードライブを行う液晶パネル駆動装置において、前記ルックアップテーブルを温度に対応して複数種類設け、周囲の温度を示す情報に基づいて、前記ルックアップテーブルを選択的に切り替えて用いることを特徴とする。
【０００８】
また、請求項２に記載のように、前記温度情報に基づいてルックアップテーブルを切り替える際、ヒステリシス特性を持たせるように構成されたことを特徴とする。
【０００９】
また、請求項３に記載のように、第１の温度に対応した第１のルックアップテーブルと前記第１の温度の上または下の第２の温度に対応した第２のルックアップテーブルとを用いて、前記第１の温度と第２の温度の間の温度に対応した補間用のオーバードライブ量を演算で求めることを特徴とする。
【００１０】
また、請求項４に記載のように、前記複数のルックアップテーブルを記憶した第１の記憶装置と、前記第１の記憶装置から読み出したルックアップテーブルを記憶する前記第１の記憶装置よりも記憶容量が小さい第２の記憶装置を備え、周囲の温度を示す情報に基づいて、前記第１の記憶装置から周囲温度に応じた所定数のルックアップテーブルを前記第２の記憶装置に読み出すことを特徴とする。
【００１１】
また、請求項５に記載のように、前記第１の記憶装置から前記第２の記憶装置にルックアップテーブルを読み出す際に、温度情報に応じた補正処理を施すことを特徴とする。
【００１２】
【発明の実施の形態】
以下、この発明の実施形態を図３乃至図１４に基づいて説明する。
【００１３】
図３に示す構成の液晶パネル駆動装置において、１フレーム分のデータを記憶することができるフレームメモリ１には８ｂｉｔ　の入力データ（目標データ）が入力されて保持される。この入力データは、階調表示に用いられ、１フレーム期間後に開始データとして出力されることになる。すなわち、今回入力データが与えられるとき、その１フレーム前のデータ（以下、前フレームデータという）が開始データとしてフレームメモリ１から読み出されるようになっている。そして例えば、前フレームデータの上位４ｂｉｔ　及び入力データの上位４ｂｉｔ　がアドレスとしてルックアップテーブル２（ＬＵＴ１〜ｎ）に与えられる。
【００１４】
ルックアップテーブル２には、前フレームデータと入力データに対応して設定されたオーバドライブ用のデータが予め記憶されている。オーバドライブ電圧が周囲温度に応じて変化するので、温度毎に対応するデータを記憶したルックアップテーブルを複数種類用意している。複数のルックアップテーブルは、選択回路３によって選択され、選択されたルックアップテーブルのデータがＬＣＤモジュール４に与えられる。
【００１５】
選択回路３は、温度センサー５などから与えられる温度情報に基づいて、複数のルックアップテーブルＬＵＴ１〜ｎの中から最適なルックアップテーブルを選択する。図４に示すように、ルックアップテーブルＬＵＴ１には９℃以下の温度幅に対応したデータが、ルックアップテーブルＬＵＴ２には１０〜１９℃の温度幅のデータが、ルックアップテーブルＬＵＴ３には２０〜２９℃の温度幅のデータが、と言うように１０℃刻みの温度幅に区切り、それぞれの温度幅に対応して最適なオーバドライブデータがルックアップテーブル２に記憶されている。この例では、複数のルックアップテーブルＬＵＴ１〜ｎの中から最適な１つのルックアップテーブルが選択される。図３の例はＬＵＴ２が選択された状態を示している。
【００１６】
ＬＣＤモジュール４は、液晶パネルとその駆動回路とそれらを収納する枠を備えて構成されている。前記液晶パネルの温度、もしくは前記液晶パネルの周辺温度を検出するための温度センサー５がＬＣＤモジュール４に設けられている。その温度センサー５によって検出した温度の情報が選択回路３に与えられ、ルックアップテーブルの選択に利用される。
【００１７】
このような構成であるので、図５に示すように、温度センサー５によって検出した温度が時間とともに変化すると、ＬＵＴ１、ＬＵＴ２、ＬＵＴ３と言うように複数のルックアップテーブルの中から１つのルックアップテーブルが選択され、その中に記憶されたオーバドライブ用のデータが選択的にＬＣＤモジュール４に出力される。
【００１８】
図４に示すように各温度幅に応じてルックアップテーブルが設定されていると、例えば２０℃付近で温度が上下に変動すると、ＬＵＴ２とＬＵＴ３が頻繁に切り替えられることになる。そこで、このようなルックアップテーブルの頻繁な切り替えを防止するために、温度とルックアップテーブルの選択の切り替え特性にヒステリシス特性を持たせることが望ましい。
【００１９】
図６は、ヒステリシス特性を持たせるための温度とそれによって選択されるルックアップテーブルの関係の一例を説明するための図である。図に示すように、ルックアップテーブルの切り替え温度の境界付近に、温度が昇温中の場合と降温中の場合とで異なるルックアップテーブルを選択する領域（オーバーラップ領域）を設定している。すなわち、オーバーラップ領域に昇温あるいは降温すると、それまでのルックアップテーブルを保持するように設定されている。図７は、図６に示す特性を横軸に温度、縦軸にルックアップテーブルとして表した図である。このようなヒステリシス特性の設定は、選択回路３の内部に予め行っておくと良い。ヒステリシス特性を持たせておくことにより、温度センサー５によって検出した温度が図５に示す温度と同じように変化した場合は、図８に示すようなルックアップテーブルＬＵＴ１〜ＬＵＴ３の選択が行われる。したがって、図５に示す場合に比べて、ルックアップテーブルの切り替え回数が少なくなる。
【００２０】
上記の形態は、温度幅毎に設定された複数のルックアップテーブルの中から温度に応じて１つのＬＵＴを選択する例を示したが、図９に示すように、２つのルックアップテーブルを同時に選択するようにしても良い。すなわち、選択回路３は、温度センサー５によって検出した温度情報に基づいて２つのルックアップテーブルを選択し、それらの出力データを演算回路６に出力する構成とすることができる。選択回路３は、ルックアップテーブルＬＵＴ１とＬＵＴ２、ルックアップテーブルＬＵＴ２とＬＵＴ３のように、設定された温度幅が隣接する関係にあるルックアップテーブルを選択するようにしているが、それ以外の関係にある２つあるいはそれ上のルックアップテーブルを選択するようにすることもできる。
【００２１】
演算回路６は、選択回路３によって選択された２つのルックアップテーブルから出力されるデータに基づいて、その間のデータを補間するオーバードライブデータ（オーバードライブ量）を演算して出力し、この補間用オーバードライブデータをＬＣＤモジュール４に出力する構成としている。このように２つのルックアップテーブルからその間の温度に対応したデータを補間して求める構成としたので、少数のルックアップテーブルからそれを補間するデータを生成することができるので、ルックアップテーブルの数を少なくすることができる。
【００２２】
上記の実施形態においては、フレームメモリ１やルックアップテーブル２には、高速応答用の記憶装置（メモリ）が用いられる。しかしながら、高速応答用のメモリは、高価であるため、その使用数量を増加することが困難な場合が多い。そこで、高速応答用のメモリを削減するため、図１０に示す実施形態では、高速応答用のメモリ７と低速応答用のメモリ８をルックアップテーブルの記憶に用いる構成とした。
【００２３】
温度幅に応じて設定した複数のルックアップテーブル（図９のＬＵＴ１〜ｎに対応）は、低速応答のメモリ８に全て記憶している。この低速応答メモリ８に記憶されたルックアップテーブルは、制御回路１０の制御の基に高速応答用のメモリ７に読み出されて使用される。
【００２４】
ルックアップテーブルを一時的に記憶する高速応答用メモリ７は複数、この例では２つのルックアップテーブルを記憶することができる記憶容量のもので構成しているが、１つのルックアップテーブルを記憶する記憶容量のもので構成しても良い。制御回路１０は、温度センサー５の検出した温度に関する情報に基づいて、低速応答用のメモリ８からルックアップテーブルを読み出し、高速応答用メモリ７の第１、第２のメモリ領域７Ａ，７Ｂに書き込む。高速応答用メモリ７の第１、第２のメモリ領域７Ａ，７Ｂに書き込まれたルックアップテーブルは、異なる温度幅に対応したものであり、第１、第２のメモリ領域の一方から出力されたデータが切替回路９を介してＬＣＤモジュール４に与えられる。制御回路１０は、温度センサー５が出力する温度情報に基づいて、低速応答用のメモリ８から高速応答用のメモリ７に読み出すルックアップテーブルを選択する。
【００２５】
図１１は、図１０にブロック図を示す実施形態の動作例を示すフローチャートである。このフローチャートに示されるように、温度センサー５の情報に基づいて、ルックアップテーブルの変更が行われる温度が検出されると、低速応答用メモリ８に記憶したルックアップテーブルの内、該当の温度に応じたルックアップテーブルが選択される。高速応答用メモリの一方の領域（第１のメモリ領域７Ａ）が使用中であれば、読み出したルックアップテーブルを高速応答用メモリの他方の領域（第２のメモリ領域７Ｂ）に記憶し、この第２のメモリ領域７Ｂに記憶したルックアップテーブルをＬＣＤモジュール４への出力用に選択するように切替回路９が動作する。高速応答用メモリの一方の領域（第１のメモリ領域７Ａ）が使用中でなければ、読み出したルックアップテーブルを高速応答用メモリの一方の領域（第１のメモリ領域７Ａ）に記憶し、この第２のメモリ領域７Ｂに記憶したルックアップテーブルをＬＣＤモジュール４への出力用に選択するように切替回路９が動作する。このように、低速応答用メモリ８からデータを読み出す際に、高速応答用メモリ７のメモリ領域を交互に利用するので、低速応答用メモリ８の低速動作による影響を最小限に抑えることができる。
【００２６】
図１２は、図１０に示す実施形態に若干の変更を加えた実施形態を示す。その変更点は、低速応答用のメモリ８から高速応答用のメモリ７にルックアップテーブルデータを読み出す際に、データ補間などのようにデータに加工を行う回路１１を追加した点である。このデータ加工は、専用の回路で行うと回路構成が複雑化するので、ＣＰＵ等の演算機能を利用して演算処理する構成とすることが好ましい。
【００２７】
【発明の効果】
以上説明したように、この発明の液晶パネル駆動装置であれば、周囲温度が変化しても最適なオーバードライブを実行することができ、液晶パネルにおける映像表示品質を高めることができるという効果を奏する。また、高価な記憶装置の使用数量を削減することができる駆動方法、あるいは駆動装置を提供することができる。
【図面の簡単な説明】
【図１】オーバードライブの概要を示した説明図である。
【図２】従来の液晶パネル駆動装置を示したブロック図である。
【図３】この発明の実施形態のブロック図である。
【図４】温度とルックアップテーブルの関係を示す説明図である。
【図５】温度とルックアップテーブルの変化状態を示した特性図である。
【図６】温度とルックアップテーブルの関係を示す説明図である。
【図７】温度とルックアップテーブルの関係を示す説明図である。
【図８】温度とルックアップテーブルの変化状態を示した特性図である。
【図９】この発明の別の実施形態のブロック図である。
【図１０】この発明の別の実施形態のブロック図である。
【図１１】図１０に示す実施形態の動作を示すフローチャート図である。
【図１２】この発明の別の実施形態のブロック図である。
【符号の説明】
１　　フレームメモリ
２　　ルックアップテーブル
３　　選択回路
４　　ＬＣＤモジュール
５　　温度センサー
【図１】
2004133159.tif 000003
【図２】
2004133159.tif 000004
【図３】
2004133159.tif 000005
【図４】
2004133159.tif 000006
【図５】
2004133159.tif 000007
【図６】
2004133159.tif 000008
【図７】
2004133159.tif 000009
【図８】
2004133159.tif 000010
【図９】
2004133159.tif 000011
【図１０】
2004133159.tif 000012
【図１１】
2004133159.tif 000013
【図１２】
2004133159.tif 000014